(57)【特許請求の範囲】
【請求項１】
画像読取装置本体に開閉自在に取り付けられた原稿を搬送する搬送ドラムを備えた自動原稿送り装置と、光源を有する画像読取手段と、搬送ドラムから原稿を分離するガイド板と、前記画像読取装置本体に設けられ前記読み取り手段の読み取り部へ原稿をガイドするガイド部材と、前記画像読取手段からの画像情報を処理する画像処理手段とを備えた画像読取装置において、
前記ガイド板には、当該ガイド板を前記自動原稿送り装置の面状ファスナーに取り付けるための面状ファスナーが設けられ、前記ガイド部材は前記ガイド板の本体形状に合わせた溝状位置決め部を備え、
ガイド板を前記溝状位置決め部に仮置きした状態で、前記自動原稿送り装置を閉めることにより、前記ガイド板が前記自動原稿送り装置に装着されることを特徴とする画像読取装置。
【請求項２】
請求項１に記載された画像読取装置において、前記面状ファスナーの一方又が双方が弾性体を備え、前記ガイド板を前記自動原稿送り装置に遊動可能に取付ていることを特徴とする画像読取装置。
【請求項３】
画像読取装置本体に開閉自在に取り付けられた原稿を搬送する搬送ドラムを備えた自動原稿送り装置と、光源を有する画像読取手段と、搬送ドラムから原稿を分離するガイド板と、前記画像読取装置本体に設けられ前記読み取り手段の読み取り部へ原稿をガイドするガイド部材と、前記画像読取手段からの画像情報を処理する画像処理手段とを備えた画像読取装置において、
前記自動原稿送り装置には、前記ガイド板を前記自動原稿送り装置に取り付けるためのマグネットキャッチが設けられ、
前記ガイド部材は前記ガイド板の本体形状に合わせた溝状位置決め部を備え、
ガイド板を前記溝状位置決め部に仮置きした状態で、前記自動原稿送り装置を閉めることにより、前記ガイド板が前記自動原稿送り装置のマグネットキャッチで装着されることを特徴とする画像読取装置。
【請求項４】
請求項３に記載された画像読取装置において、
前記ガイド板は、前記マグネットキャッチにより前記自動原稿送り装置に遊動可能に取り付けられていることを特徴とする画像読取装置。
【発明の詳細な説明】
【０００１】
【発明が属する技術分野】
本発明は、原稿の画像を読み取る画像読取部と、読み取られた画像信号をパーソナルコンピュータやワークステーションなどに出力するスキャナのような画像読み取り装置に関し、特に、原稿ガイド板の自動原稿送り装置の側板に対する取付構造に特徴を有する原稿読取装置に関するものである。
【０００２】
【従来の技術】
図４は、従来の画像読取装置（スキャナ）本体９に開閉自在に自動原稿送り装置が設置された画像読取装置を示す。
画像読取装置において、原稿を読み取る際、原稿は自動原稿送り装置４の原稿トレイ１にセットされ、分離ユニット２により1枚ずつ分離され搬送ドラム１１、コロ３などを介して画像読み取り部８に搬送され、画像読み取り部８を通過した原稿は搬送ローラ１２を介して排紙トレイ１０に搬送される。
画像読み取り部８には、スキャナ本体９側に照明ランプ１３と第１ミラー１４、第２ミラー１５、第３ミラー１６、ＣＣＤセンサ１７、レンズ１８があり、原稿が画像読み取り部８を通過する際に、照明ランプ１３により照明されてその反射光像が第１ミラー１４、第２ミラー１５、第３ミラー１６を介してレンズ１８によりＣＣＤセンサ１７上に結像される。ＣＣＤセンサ１７は結像された原稿の反射光像を光電変換してアナログ画像信号を出力し、原稿の読み取りが行われる。ＣＣＤセンサ１７からのアナログ画像信号は、アナログ／デジタル変換器によりデジタル画像信号に変換され、種々の画像処理（２値化、多値化、階調処理、変倍処理、編集処理など）が施される。
また、自動原稿送り装置４を使用しないで読み取る場合には、図７に示したように、自動原稿送り装置４は上方に開放できるような構成となっており、その状態で大コンタクトガラス２３上に原稿をセットし、原稿押さえ板２２により上方から原稿を押えた状態で、照明ランプ１３により照明しその反射光像が第１ミラー１４、第２ミラー１５、第３ミラー１６を介してレンズ１８によりＣＣＤセンサ１７上に結像される。
【０００３】
図５は画像読取装置の画像読み取り部８の詳細を示ものである。
原稿トレイ１から搬送された原稿は、搬送ドラム１１に沿って画像読み取り部８に進入してくる。進入してきた原稿はスキャナ本体９側に設置されたガイド部材２７により案内され、図示のように搬送ドラム１１に食込むような形状の分離片１９ａを有するガイド板１９にて搬送ドラム１１から分離され、画像読み取り部８でガイド部材２７に設置されている小コンタクトガラス２０に押し付けられ、既に説明したように、照明ランプ１３やＣＣＤセンサ１７によって読み取られる。
【０００４】
ガイド板１９と搬送ドラム１１は図６の分解斜視図を示すような形状構造を有している。搬送ドラム１１は図示のように幅小のローラ１１ａが複数並んだ構成であり、ガイド板１９にはこのローラ１１ａの隙間に入り込むような形状の原稿用の分離片１９ａが形成されている。図５で、分離片１９ａが搬送ドラム１１に食込んだように見えるのはこのためである。
また、ガイド板１９にはマイラーガイド２１が設置され、図示のように、突出した分離片２１ａとＭ型の形状をした摺接部２１ｂを有し、摺接部２１ｂが搬送ドラム１１のローラ１１ａ上に当接されており、これによっても原稿を分離する。
【０００５】
以上の構成により、搬送ドラム１１により搬送されてきた原稿は、搬送ドラム１１より分離されるのである。そして、図５、図１０に示されるように、このガイド板１９と小コンタクトガラス２０との間には隙間Ｌが存在し、この隙間Ｌは正しく原稿を読み取るためには精密に管理しなければならない。しかし図７に示すように自動原稿送り装置４が上下に開閉する構成では、この隙間Ｌを精密に保持することは困難である。
そので、従来は、図８〜図１０に示すように、ガイド板１９を、自動原稿送り装置４の下側において、前側板２４（後側板は図示していない）に段付きネジ２５で上下に移動動可能状態で固定し、かつ、ガイド板１９の両端にシート状のスペーサ２６を設置して、このスペーサ２６を小コンタクトガラス２０に当接させることで隙間Ｌを保持している（図示はしていないが後ろ側板も同様に段付きネジで固定されており、スペーサも設置されている）。
【０００６】
【発明が解決しようとする課題】
ところで、このガイド板１９のマイラーガイド２１は搬送ドラム１１に当接しているので、搬送ドラム１１が回転することで、経時的に摩耗してしまい交換する必要がある。しかしながら、このガイド板１９は図１０に示すように、自動原稿送り装置４の外装カバー３２で覆った前後の側板２４に取り付けられているため、外装カバー３２を外ずさないと取り外しができず、摩耗で使用できなくなったガイド板１９の交換は手間がかかるほか、サービスマンなどの専任者が交換しなければならず、サービスマンが訪問に来る間、ユーザーの作業が中断してしまうという不具合があった。
そこで、本発明は以上の不具合を解消するためになされたものであって、簡易な固定手段を採用することにより、ガイド板１９を容易に交換できるようにしたものである。
【０００７】
【課題を解決するための手段】
請求項１の発明は、画像読取装置本体に開閉自在に取り付けられた原稿を搬送する搬送ドラムを備えた自動原稿送り装置と、光源を有する画像読取手段と、搬送ドラムから原稿を分離するガイド板と、前記画像読取装置本体に設けられ前記読み取り手段の読み取り部へ原稿をガイドするガイド部材と、前記画像読取手段からの画像情報を処理する画像処理手段とを備えた画像読取装置において、前記ガイド板には、当該ガイド板を前記自動原稿送り装置の面状ファスナーに取り付けるための面状ファスナーが設けられ、前記ガイド部材は前記ガイド板の本体形状に合わせた溝状位置決め部を備え、ガイド板を前記溝状位置決め部に仮置きした状態で、前記自動原稿送り装置を閉めることにより、前記ガイド板が前記自動原稿送り装置に装着されることを特徴とする画像読取装置である。
【０００８】
請求項２の発明は、請求項１に記載された画像読取装置において、前記面状ファスナーの一方又が双方が弾性体を備え、前記ガイド板を前記自動原稿送り装置に遊動可能に取付ていることを特徴とする画像読取装置である。
【０００９】
請求項３の発明は、画像読取装置本体に開閉自在に取り付けられた原稿を搬送する搬送ドラムを備えた自動原稿送り装置と、光源を有する画像読取手段と、搬送ドラムから原稿を分離するガイド板と、前記画像読取装置本体に設けられ前記読み取り手段の読み取り部へ原稿をガイドするガイド部材と、前記画像読取手段からの画像情報を処理する画像処理手段とを備えた画像読取装置において、前記自動原稿送り装置には、前記ガイド板を前記自動原稿送り装置に取り付けるためのマグネットキャッチが設けられ、前記ガイド部材は前記ガイド板の本体形状に合わせた溝状位置決め部を備え、ガイド板を前記溝状位置決め部に仮置きした状態で、前記自動原稿送り装置を閉めることにより、前記ガイド板が前記自動原稿送り装置のマグネットキャッチで装着されることを特徴とする画像読取装置である。
【００１０】
請求項４の発明は、請求項３に記載された画像読取装置において、
前記ガイド板は、前記マグネットキャッチにより前記自動原稿送り装置に遊動可能に取り付けられていることを特徴とする画像読取装置である。
【００１３】
【発明の実施の形態】
本発明の１実施形態を添付図面を参照して説明する。
図１は本発明のガイド板２８の取り付け部の構造を示し、この実施形態では外部に露出している自動原稿送り装置の側板２４と原稿ガイド板２８双方に面状ファスナー２５、２６を備えている。側板２４には、原稿ガイド板２８を矢印Ａ方向への移動を規制するための、例えば凸部からなる位置決め部材３１を備える。図示はしていないが、これと同様に反対側の側板にも面状ファスナー２５，２６、及び位置決め部材３１が備えられている。
原稿ガイド板２８を側板２４に取り付ける際には、原稿ガイド板２８の両側の穴を、側板２４の両側の位置決め部材３１に合わせて、面状ファスナー２５、２６を接合固定する。この時、原稿ガイド板２８のシート状のスペーサ２９を小コンタクトガラス２０のガラス面に接触させることで矢印Ｂ方向における原稿ガイド板２８と小コンタクトガラス２０のガラス面との距離を規制する。
【００１４】
本実施形態では、面状ファスナー２５又は２６のいづれか一方に弾性を設けることによって、つまり、例えば面状ファスナー２５にスポンジを裏打ちすることにより、原稿ガイド板２８と小コンタクトガラス２０の位置出しを可能なのもとしている。これにより、図８の様に、原稿ガイド板２８を備えた自動原稿送り装置４を上方に開放後再度戻しても、原稿ガイド板２８のシート上のスペーサ２９が小コンタクトガラス２０に接触してから、自動原稿送り装置４が全て閉まりきるまでの間の原稿ガイド板２８と小コンタクトガラス２０との間の距離（隙間）の変動は面状ファスナー２５に裏打ちされたスポンジにて吸収でき、正規の位置決めが可能となる。
【００１５】
ガイド部材２７とガイド板２８の分解斜視図である図２で示すように、画像読取本体側に備えるガイド部材２７には小コンタクトガラス２０が挟み込まれており、原稿ガイド板２８のスペーサ２９と小コンタクトガラス２０のガラス面が接触するように、かつガイド部材２７の例えばガイド板２８の本体形状に合わせた溝状位置決め部３０に仮置きできるように構成している。これによって、ガイド板２８をガイド部材２７に仮置きしてから、自動原稿送り装置４を閉めることによって、面状ファスナー２５，２６の機能により、側板２４に正しく装着できる。
【００１６】
図３は、本発明のガイド板２８の第２の実施形態の取り付け部を示す。外部に露出している自動原稿送り装置の側板２４にマグネットキャッチ２５ａが段付ネジ２６ａ二本により、上下方向にガタ（遊び）があるように取り付けられている。図示はしていないが、上記と同様な形状が反対側の側板にも存在し、マグネットキャッチ２５ａ、段付ネジ２６ａが備えられる。原稿ガイド板２８のシート状のスペーサ２９と小コンタクトガラス２０のガラス面とを接触させることによって、ガイド板２８と小コンタクトガラス２０の矢印Ｂ方向における距離（隙間）を規制する。本実施形態では、自動原稿送り装置４を上方に開放後再度戻しても、原稿ガイド板２８のスペーサ２９が小コンタクトガラス２０に接触してから、自動原稿送り装置４が全て閉まりきるまでの間の距離をマグネットキャッチ２５ａと段付ネジ２６ａの上下方向のガタ（遊び）で吸収し、正規の位置決めが行える。
【００１７】
また、図２によると、画像読取本体側に備えるガイド部材２７には小コンタクトガラス２０が挟み込まれており、原稿ガイド板２８のスペーサ２９と小コンタクトガラス２０のガラス面が接触するように且つガイド部材２７の位置決め部３０に合わせて仮置きできるように構成している。これによって、ガイド板２８を例えばガイド板２８の本体形状に合わせた溝状位置決め部３０でガイド部材２７に仮置きしてから、自動原稿送り装置４を閉めることによって、マグネットキャッチ２５ａ、段付ネジ２６ａの機能により、側板２４に正しく装着することができる。
【００１８】
【発明の効果】
請求項１に対応した効果：面状ファスナーによりガイド板を固定するので、従来のようにガイド板の交換時に外装カバーを取り外すこともなく、だれにでも簡単にガイド板が交換できる。
請求項２，４に対応した効果：原稿自動送り装置と原稿ガイド板を遊動可能に取り付けたので、原稿自動送り装置の開閉の際に原稿ガイド板とコンタクトガラスと間で生じる位置ずれを吸収して、ガイド板をコンタクトガラスに対し常に正規の状態に保つことができる。
請求項３に対応した効果：原稿自動送り装置と原稿ガイド板をマグネットキャッチにより固定するので、従来のようにガイド板の交換時に外装カバーを取り外すこともなく、だれにでも簡単にガイド板が交換できる。
【図面の簡単な説明】
【図１】  本発明のガイド板２８の取り付け部の構造を示す分解斜視図である。
【図２】  本発明のガイド部材２７とガイド板２８の分解斜視図である
【図３】  本発明のガイド板２８の第２の実施形態の取り付け部の構造を示す分解斜視図である。
【図４】  従来のスキャナ本体９に自動原稿送り装置が設置された画像読取装置の側面図である。
【図５】  図４の画像読取装置の画像読み取り部８の拡大図である。
【図６】  図４の画像読取装置のガイド板１９と搬送ドラム１１の分解斜視図である。
【図７】  図４の画像読取装置において、自動原稿送り装置を上方に回動した状態を示す側面図である。
【図８】  ガイド板を自動原稿送り装置に取り付けた状態を示す斜視図である。
【図９】  図８のガイド板を取り付けた状態の自動原稿送り装置の要部を拡大した斜視図である。
【図１０】  図８の原稿自動読取部の要部断面図である。
【符号の説明】
１…原稿トレイ、２…分離ユニット、３…コロ、４…自動原稿送り装置、４…搬送ドラム、９…スキャナ本体、１０…排紙トレイ、２０…小コンタクトガラス、２３…第コンタクトガラス、２５、２６…面状ファスナー、２５ａ…マグネットキャッチ、２６ａ…段付ネジ、２８（１９）…ガイド板、２９…スペーサ、３０、３１…位置決め部材、３２…外装カバー、
【図１】
0004390398.tif 000002
【図２】
0004390398.tif 000003
【図３】
0004390398.tif 000004
【図４】
0004390398.tif 000005
【図５】
0004390398.tif 000006
【図６】
0004390398.tif 000007
【図７】
0004390398.tif 000008
【図８】
0004390398.tif 000009
【図９】
0004390398.tif 000010
【図１０】
0004390398.tif 000011